(57)【要約】      （修正有）【課題】カードケースに収納して常時携帯するカードに、買い物袋の持ち手が手のひらに食い込まないようにできる機能をもたせた手提げ機能付きカードを提供する。【解決手段】カード本体１０の長辺側寄りが自由端１２１になり、かつ前記カード本体１０の中央寄りが固定端１２２になるような矩形の係止片１２を切り込みにより形成し、前記係止片１２の前記自由端１２１の左右には突出部１２３を設け、前記カード本体１０の他方の長辺側に、前記係止片１２の幅より大きな縦孔１３を形成し、この縦孔１３の左右に繋がるように前記突出部１２３より大きい幅の横孔１３１を形成し、前記カード本体１０の短辺の中央に第１横溝１１を形成し、この第１横溝１１に対し所定間隔おいて略平行な一対の第２横溝１１１、１１２を形成し、前記第１横溝１１を前記第２横溝１１１、１１２より短くし、その両端が前記カード本体の１０短辺側の側縁より内方に位置するようにした。【選択図】図１
2013150758.tif 000002
【特許請求の範囲】
【請求項１】
カードケースに収納可能な長方形状の弾力性を有する厚紙板材又はプラスチック板材よりなるカード本体であって、このカード本体の長辺側寄りが自由端になり、かつ前記カード本体の中央寄りが固定端になるような矩形の係止片を切り込みにより、前記カード本体の一方の前記長辺側に形成し、前記係止片の前記自由端の左右には突出部を設け、
前記カード本体の他方の長辺側に、前記係止片の幅より大きな縦孔を切り抜きにより形成し、この縦孔の左右に繋がるように前記突出部より大きい幅の横孔を形成し、
前記カード本体の短辺の中央に第１横溝を形成し、この第１横溝に対し所定間隔おいて略平行な一対の第２横溝を形成し、
前記第１横溝を前記第２横溝より短くし、その両端が前記カード本体の短辺側の側縁より内方に位置するようにしたことを特徴とする買い物袋の持ち手補助機能付きカード。
【請求項２】
カードケースに収納可能な長方形状の弾力性を有する厚紙板材又はプラスチック板材よりなるカード本体であって、このカード本体の長辺側寄りが自由端になり、かつ前記カード本体の中央寄りが固定端になるような矩形の係止片を切り込みにより、前記カード本体の一方の前記長辺側に形成し、
前記カード本体の他方の長辺側に、前記カード本体の前記長辺側寄りが自由端になり、かつ前記中央寄りが固定端になるような矩形の補助係止片を切り込みにより形成し、
前記補助係止片の切り込みで開口した前記係止片の幅より大きい縦孔と、この縦孔の左右に繋がるように横孔とを形成し、
前記カード本体の短辺の中央に第１横溝を形成し、この第１横溝に対し所定間隔おいて略平行な一対の第２横溝を形成し、
前記第１横溝を前記第２横溝より短くし、その両端が前記カード本体の短辺側の側縁より内方に位置するようにしたことを特徴とする買い物袋の持ち手補助機能付きカード。
【請求項３】
前記第２横溝の両側は前記第１横溝に対して外又は内方向に屈曲していることを特徴とする請求項１又は請求項２に記載の買い物袋の持ち手補助機能付きカード。
【請求項４】
前記係止片の幅より大きい前記縦孔に、前記係止片の幅より狭くなるように凸部を設けたことを特徴とする請求項１又は請求項２に記載の買い物袋の持ち手補助機能付きカード。
【発明の詳細な説明】
【技術分野】
【０００１】  本発明は、購入商品が入る紙袋、ポリ袋等の持ち手が手のひらに食い込まないように持ち提げることができる買い物袋の持ち手補助機能を有する定期券等のサイズのカードに関する。
【背景技術】
【０００２】  買い物をした際、買った商品を買い物袋に満杯に収納し、買い物袋の持ち手を持ち上げると、この持ち手が手に食い込み痛くて買い物袋を長時間に亘り提げることができないという問題があった。【０００３】  このため、買った商品を入れた買い物袋を持ち上げる持ち手が、手に食い込まないで買い物袋を持ち上げることができる買い物袋の持ち手補助具を顧客に提供しているが、常に提供されるわけではない。（特許文献１）
【先行技術文献】
【特許文献】
【０００４】
【特許文献１】特開２００２−１０８２２号公報
【発明の概要】
【発明が解決しようとする課題】
【０００５】  特許文献１の買い物袋の持ち手補助具は、捨てずにおいて買い物の際に携帯して繰り返し使ってもよいが、立体形状で嵩張り、常に携帯することも難しく、外観もよくないので通常は使い捨てられることが多く、経済性が悪く、環境上の問題も生じることがある。【０００６】  この発明は、上述した点に鑑みなされたものであり、買った商品を入れた買い物袋の持ち手が手に食い込まないで重い買い物袋を持ち上げることができる機能をカードケースに収納して携帯するカードに持たせ、必要時に手元にあって、即使用できるようにすることを目的とする。
【課題を解決するための手段】
【０００７】  前記課題を解決し、かつ目的を達成するために、この発明は以下のように構成した。【０００８】  請求項１に記載の発明は、カードケースに収納可能な長方形状の弾力性を有する厚紙板材又はプラスチック板材よりなるカード本体であって、
このカード本体の長辺側寄りが自由端になり、かつ前記カード本体の中央寄りが固定端になるような矩形の係止片を切り込みにより、前記カード本体の一方の前記長辺側に形成し、前記係止片の前記自由端の左右には突出部を設け、
前記カード本体の他方の長辺側に、前記係止片の幅より大きな縦孔を切り抜きにより形成し、この縦孔の左右に繋がるように前記突出部より大きい幅の横孔を形成し、
前記カード本体の短辺の中央に第１横溝を形成し、この第１横溝に対し所定間隔おいて略平行な一対の第２横溝を形成し、
前記第１横溝を前記第２横溝より短くし、その両端が前記カード本体の短辺側の側縁より内方に位置するようにしたことを特徴とする買い物袋の持ち手補助機能付きカードである。【０００９】  請求項２に記載の発明は、カードケースに収納可能な長方形状の弾力性を有する厚紙板材又はプラスチック板材よりなるカード本体であって、
このカード本体の長辺側寄りが自由端になり、かつ前記カード本体の中央寄りが固定端になるような矩形の係止片を切り込みにより、前記カード本体の一方の前記長辺側に形成し、
前記カード本体の他方の長辺側に、前記カード本体の前記長辺側寄りが自由端になり、かつ前記中央寄りが固定端になるような矩形の補助係止片を切り込みにより形成し、
前記補助係止片の切り込みで開口した前記係止片の幅より大きい縦孔と、この縦孔の左右に繋がるように横孔とを有し、
前記カード本体の短辺の中央に第１横溝を形成し、この第１横溝に対し所定間隔おいて略平行な一対の第２横溝を形成する
前記第１横溝を前記第２横溝より短くし、その両端が前記カード本体の短辺側の側縁より内方に位置するようにしたことを特徴とする買い物袋の持ち手補助機能付きカードである。【００１０】  請求項３に記載の発明は、前記第２横溝の両側は前記第１横溝に対して外又は内方向に屈曲していることを特徴とする請求項１又は請求項２に記載の買い物袋の持ち手補助機能付きカードである。【００１１】  請求項４に記載の発明は、前記係止片の幅より大きい前記縦孔に、前記係止片の幅より狭くなるように凸部を設けたことを特徴とする請求項１又は請求項２に記載の買い物袋の持ち手補助機能付きカード。
【発明の効果】
【００１２】  前記構成により、この発明は以下のような効果を有する。【００１３】  請求項１に記載の発明では、カードケースに収納可能な長方形状の弾力性を有する厚紙板材又はプラスチック板材よりなるカード本体であって、
このカード本体の長辺側寄りが自由端になり、かつ前記カード本体の中央寄りが固定端になるような矩形の係止片を切り込みにより、前記カード本体の一方の前記長辺側に形成し、前記係止片の前記自由端の左右には突出部を設け、
前記カード本体の他方の長辺側に、前記係止片の幅より大きな縦孔を切り抜きにより形成し、この縦孔の左右に繋がるように前記突出部より大きい幅の横孔を形成した構成なので、前記カード本体は凸面になることがなく、カードケースへの収納が容易にできる。しかも厚紙材又はプラスチック材の平板をプレス成形して加工できるので低コストで量産性が高くなる。【００１４】  前記カード本体の短辺の中央に第１横溝を形成し、この第１横溝に対し所定間隔おいて略平行な一対の第２横溝を形成し、
前記第１横溝を前記第２横溝より短くし、その両端が前記カード本体の短辺側の側縁より内方に位置するようにした構成なので、前記第２横溝に沿って折り曲げて買い物袋の持ち手に巻き、前記係止片の前記自由端を前記縦孔に挿入し、前記係止片の先端を係止させて買い物袋の持ち手に装着でき買い物袋の持ち手を手から放しても、カード本体が持ち手から落ちることがない。しかも、買い物袋の持ち手が嵌まり込む前記第１横溝の端が短辺側の側縁にないので、側縁が裂けることがなくなりカード本体の耐久性は確保される。【００１５】  請求項２に記載の発明では、カードケースに収納可能な長方形状の弾力性を有する厚紙板材又はプラスチック板材よりなるカード本体であって、
このカード本体の長辺側寄りが自由端になり、かつ前記カード本体の中央寄りが固定端になるような矩形の係止片を切り込みにより、前記カード本体の一方の前記長辺側に形成し、
前記カード本体の他方の長辺側に、前記カード本体の前記長辺側寄りが自由端になり、かつ前記中央寄りが固定端になるような矩形の補助係止片を切り込みにより形成し、
前記補助係止片の切り込みで開口した前記係止片の幅より大きい縦孔と、この縦孔の左右に繋がるように横孔とを有した構成なので、前記係止片の前記自由端を前記補助係止片によって開口した前記縦孔に挿入し、前記係止片の先端を係止させることにより持ち手に装着でき、前記係止片の前記自由端は前記補助係止片の前記自由端の弾性変形により押されて、前記係止片の前記自由端が前記補助係止片によって開口した縦孔から抜けることがなく、前記カード本体が略三角形状の状態を維持する。【００１６】  請求項３に記載の発明では、前記第２横溝の両側は前記第１横溝に対して外又は内方向に屈曲している構成なので、カード本体を三角形状に折り曲げると底部は湾曲することになり、持ち手に装着する際、手のひらの膨らみに沿って接触することでき買い物袋が重くても手ひらに食い込むことがなく持ち易く、かつ、手の中に収まり馴染み易く、持つ手の握り感が改善され、中央の直線状の横溝に前記持ち手が嵌り込み保持が確実にできる。
なお、前記第１横溝および前記第２横溝をカード本体の折り曲げ方向に対して外面に形成すると、前記第２横溝が外方又は内方に屈曲しても折り曲げ易くなる。【００１７】  請求項４に記載の発明では、前記係止片の幅より大きい前記縦孔に、前記係止片の幅より狭くなるように凸部を設けた構成なので、前記係止片の前記自由端を前記縦孔に挿入し、前記係止片を捻りながら前記凸部により狭くなった前記縦孔箇所を通過させ、前記係止片の先端を前記縦孔に係止させることにより、前記係止片が前記凸部により止められ、前記縦孔の左右に繋がる横孔から抜けることがなく前記カード本体が三角形状の状態を維持する。
【図面の簡単な説明】
【００１８】
【図１】第１の実施の形態の手提げ具機能付きカードの正面図である。
【図２】図１の手提げ具機能付きカードの使用状態を示す断面図である。
【図３】カードケースの斜視図である。
【図４】第２の実施の形態の手提げ具機能付きカードの正面図である。
【図５】第３の実施の形態の手提げ具機能付きカードの正面図である。
【図６】図５の手提げ具機能付きカードの使用状態を示す断面図である。
【発明を実施するための形態】
【００１９】  以下、この発明の手提げ具機能付カードの実施の形態について説明する。この発明の実施の形態は、発明の最も好ましい形態を示すものであり、この発明はこれに限定されない。
（第１の実施の形態）
この第１の実施の形態を、図１乃至図３に基づいて説明する。図１は手提げ具機能付きカードの正面図、図２は手提げ具機能付きカードの使用状態を示す断面図、図３は手提げ具機能付きカードを収納するカードケースの斜視図である。
【００２０】  この実施の形態の手提げ具機能付きカードは、図２に示されるように、ポリ袋、紙袋の持ち手に装着した使用状態の例を示している。
図１に示すように、この手提げ機能付きカード本体１０は、弾力性を有する厚紙板材又はプラスチック板材とし、長辺側１０１、１０２が８５〜８６ｍｍ、短辺側１０３，１０４が５３ｍｍ〜５８ｍｍの長方形状よりなる。なお、カード本体１０の四隅には丸み１０５を設ける。
【００２１】    前記カード本体１０の短辺の中央に第１横溝１１を形成し、この第１横溝１１に対し所定間隔おいて略平行な一対の第２横溝１１１、１１２を形成する。前記第２横溝１１１，１１２の両側は前記第１横溝１１に対して外方向に屈曲している。
【００２２】  前記第１横溝１１を前記第２横溝１１１、１１２より短くし、その両端が前記カード本体１０の短辺側１０３、１０４の側縁より内方に位置させる。
買い物袋の持ち手が前記第１横溝１１に嵌まり込むが、前記第１横溝の端が短辺側の側縁にないので、側縁が裂けることがなくなりカード本体の耐久性は確保される。
【００２３】  前記第１横溝１１および前記第２横溝１１１、１１２をカード本体１０の折り曲げ方向に対して外面に形成すると、前記第２横溝１１１、１１２が外方又は内方に屈曲しても折り曲げ易くなる。
【００２４】  前記カード本体１０の一方の長辺側１０１に矩形の係止片１２を切り込みにより形成する。この係止片１２の前記長辺側１０１寄りは切り込まれて自由端１２１にし、前記係止片１２の中央寄りは切り込まないで固定端１２２にする。
前記係止片１２の前記自由端１２１の左右には突出部１２３を設けるとともに、前記係止片１２の前記自由端１２１の先端を前記長辺側１０１の側縁に一致させる。
【００２５】  前記カード本体１０の他方の長辺側１０２には切り抜きにより、前記係止片１２より大きい幅の矩形の縦孔１３と、この縦孔１３の左右に繋がるように前記突出部１２３より大きい幅の横孔１３１を形成する。
さらに前記縦孔１３には前記係止片１２の幅より狭くなるようにする凸部１３２を設ける。
【００２６】  通常では前記カード本体１０を図３に示すようにカードケース４０の内側に設けたケースポケット４１に収納する。このカードケース４０には定期券（図示せず）等も収納される
【００２７】  前記カード本体１０を購入した商品を入れた買い物袋の持ち手５０に装着する場合には、前記カードケース４０に収納した前記カード本体１０を取り出して、図２に示すように、前記持ち手５０に前記カード本体１０を巻きつける。
【００２８】  前記カード本体１０を前記第１横溝１１及び前記第２横溝１１１，１１２に沿って折り曲げ、一方の前記長辺側１０１と他方の前記長辺側１０２とを互いに近接させ、前記係止片１２の前記自由端１２１の前記突出部１２３を前記縦孔１３の前記横孔１３１に差し込み、前記凸部１３２により狭くなった前記縦孔１３箇所に前記係止片１２を捻りながら通過させ、前記係止片１２の先端を前記縦孔１３に係止させる。
【００２９】  前記係止片１２が前記縦孔１３から抜けないよう前記凸部１３２により止められ、前記縦孔１３の左右に繋がる横孔１３１から抜けることがなく前記カード本体が略三角形状の状態を維持することにより、前記持ち手５０から手を離しても、前記カード本体１０は買い物袋の前記持ち手５０に取り付いた状態で、しかも、前記カード本体１０は、多少の力が加わっても折れないで略三角形状を確実に保持できる。
【００３０】  従って、買い物袋の前記持ち手５０から手を離したときに前記カード本体１０が買い物袋の前記持ち手５０から外れて落ちてしまうということがないから取着性・使い勝手が良く、しかも、連続した厚紙板又はプラスチック板をプレス成形により製造できるので低コストで量産性が高い前記カード本体１０を提供できる。
【００３１】  前記カード本体１０を折り曲げると、前記第２横溝１１１、１１２が外方向に屈曲しているので、前記長辺部１０１、１０２の中央は密着し断面略三角形状となるが、前記長辺部１０１、１０２の両側は離間し断面チャンネル形状となる。このため手のひらへの接触面積を確保でき買い物袋が重くても手ひらに食い込むことがなく持ち易くなり、中央の直線状の第１横溝１１に前記持ち手５０が嵌り込み保持できる。
【００３２】  （第２の実施の形態）
次に、第２の実施の形態を、図４に基づいて説明する。前記カード本体１０の下半分は第１の実施の形態と同様に構成されているから説明を省略するとともに、第１の実施の形態におけるカード本体１０に示された構成と同様になる構成は、同じ符号を付して説明する。
【００３３】  前記カード本体１０に切り込みにより形成された前記係止片１２の固定端１２２を中央寄りにし、前記自由端１２１の突出部１２３を有する先端は、図４の長辺部１０１の側縁より内方にする。
【００３４】  前記カード本体の短辺の中央に形成した第１横溝３１に対して所定間隔おいて略平行な一対の第２横溝３１１、３１２を形成している。
前記第１横溝３１を前記第２横溝３１１、３１２より短くし、その両端が前記カード本体１０の短辺側１０３、１０４の側縁より内方に位置させる。
買い物袋の持ち手５０が前記第１横溝３１に嵌まり込むが、前記第１横溝３１の端が短辺側の側縁にないので、側縁が引き裂けることがなくなり前記カード本体１０が割れ難く、カード本体の耐久性は確保される。
【００３５】  前記第１横溝３１に対して所定間隔おいて略平行な一対の第２横溝３１１、３１２の両側は前記第１横溝２１に対して内方向に屈曲しており、前記カード本体１０を折り曲げると、前記長辺部１０１、１０２の中央から両側にかけて密着し断面三角形状となる。このため手の中に収まり馴染み易く、持つ手の握り感が改善される。
【００３６】  また、前記カード本体１０に切り込んだ前記係止片１２の前記自由端１２１の先端が前記長辺部１０１の側縁より内方にしたので、前記カード本体１０の全周縁が繋がれることになり、前記カード本体１０が割れ難く、引き裂かれて破損することがない。
【００３７】  （第３の実施の形態）
次に、第３の実施の形態を、図５及び図６に基づいて説明する。図５は手提げ具機能付きカードの正面図、図６は手提げ具機能付きカードの使用状態を示す断面図である。
なお、第１の実施の形態におけるカード本体１０に示された構成と同様になる構成は、同じ符号を付して説明を省略する。
【００３８】  前記カード本体１０の一方の長辺側１０１には第１の実施の態様に示す前記係止片１２があり、他方の前記長辺側１０２には矩形の補助係止片２０を切り込みにより形成する。前記補助係止片２０の前記長辺側１０２寄りは切り込まれて自由端２０１にし、前記補助係止片２０の中央寄りは切り込まないで固定端２０２にする。
【００３９】  さらに、前記補助係止片２０の切り込みで開口した縦孔２１と、この縦孔２１の左右に繋がるように横孔２１１とを有し、前記縦孔２１の幅は前記係止片１２の幅より大きくするとともに、前記横孔２１１の左右幅も前記突出部１２３の幅より大きくする。さらに、前記縦孔２１には前記係止片１２の幅より狭くなるようにする凸部２１２を設ける。
【００４０】  前記カード本体１０を前記第１横溝１１及び前記第２横溝１１１、１１２に沿って折り曲げ、一方の前記長辺側１０１と他方の前記長辺側１０２とを互いに近接させ、前記係止片１２の前記自由端１２１の前記突出部１２３を前記縦孔２１の前記横孔２１１に差し込み、前記凸部２１２により狭くなった前記縦孔２１箇所に前記係止片１２を捻りながら通過させ、前記係止片１２の先端を前記縦孔２１に係止させる。
【００４１】  このように差し込まれた前記係止片１２の前記自由端１２１は前記補助係止片２０の前記自由端２０１の弾性変形により押されて移動し、前記係止片１２の前記突出部１２３が係止して前記係止片１２が前記縦孔２１から抜けることがなく、さらに前記凸部２１２により前記係止片１２の抜け出しを規制し、前記カード本体１０が略三角形状の状態を維持する。
【００４２】  従って、買い物袋の持ち手５０から手を離したときにカード本体１０が買い物袋の持ち手から外れて落ちてしまうということがないから取着性・使い勝手が良い。しかも、カード本体１０は、多少の力が加わっても折れないで略三角形状をしっかりと保持できる。
【００４３】  前記カード本体１０を厚紙材またはプラスチック材にする場合、例えば厚さ１ｍｍ前後で復元性のある弾性材料を選択するのが好ましく、特に、割れ難く粘りがある材料を選択するのが好ましい。また、一対の前記第２横溝１１１、１１２の間隔は例えば１５ｍｍ前後であることが好ましい。
【００４４】  この前記カード本体１０は、連続する材料に対して前記係止片１２と縦孔１３又は補助係止片２０をプレスにより形成し、所定の大きさにカットすることで次々に製造できる。
【００４５】  以上、図面を参照してこの発明の買い物袋の持ち手補助機能付きカードの実施の形態を詳述したが、この発明は、上記実施の形態に限定されない。
この発明の要旨から逸脱しない範囲での種々の設計変更を含むものである。
例えば、この発明の持ち手補助機能付きカードに広告媒体に成るような印刷をしてもよい。
【産業上の利用可能性】
【００４６】  この発明は、カードケースに収納して携帯するカードに、購入した商品を入れる買い物袋の持ち手が手のひらに食い込まないような機能を持てせることにより、使い捨てにされることがなく、経済性のあるものを得ることができる。
【符号の説明】
【００４７】  １０  カード本体
１０１，１０２  長辺側
１０３，１０４  短辺側
１１  第１横溝
１１１，１１２  第２横溝
１２  係止片
１２１  自由端
１２２  固定端
１２３  突出部
１３  縦孔
１３１  横孔
４０  カードケース
４１  ケースポケット
５０  持ち手
【図１】
2013150758.tif 000003
【図２】
2013150758.tif 000004
【図３】
2013150758.tif 000005
【図４】
2013150758.tif 000006
【図５】
2013150758.tif 000007
【図６】
2013150758.tif 000008